(57)【要約】【課題】情報処理装置間の呼制御に係る処理を行う呼制御装置と、情報処理装置間で情報の中継を行う中継装置とを有する通信システムにおいて、中継装置の交換や、中継装置を追加することを容易にする。【解決手段】通信ネットワークを介して呼制御装置、及び中継装置と接続される情報処理装置は、中継装置に対して、ログインを要求するログイン要求部と、ログインの要求に対して該中継装置によって送信されるログインを許可する通知を受信した場合に、該中継装置に通信に関するサービスの設定を依頼するサービス設定依頼部と、該サービス設定依頼部によって依頼したサービスの設定に対して、中継装置によって送信される該サービスを識別するサービス識別情報、及び該サービスを利用する際に使用するログイン情報を含むサービス開始要求を使用し、呼制御装置を介して、通信相手の他の情報処理装置との間で前記サービスの開始を要求するサービス開始要求部とを有する。【選択図】図６
2016167658.tif 000002
【特許請求の範囲】
【請求項１】
通信ネットワークを介して呼制御装置、及び中継装置と接続される情報処理装置であって、
中継装置に対して、ログインを要求するログイン要求部と、
前記ログインの要求に対して該中継装置によって送信されるログインを許可する通知を受信した場合に、該中継装置に通信に関するサービスの設定を依頼するサービス設定依頼部と、
該サービス設定依頼部によって依頼した前記サービスの設定に対して、前記中継装置によって送信される該サービスを識別するサービス識別情報、及び該サービスを利用する際に使用するログイン情報を含むサービス開始要求を使用し、前記呼制御装置を介して、通信相手の他の情報処理装置との間で前記サービスの開始を要求するサービス開始要求部と
を有する、情報処理装置。
【請求項２】
前記情報処理装置が対応する通信方式に基づいて前記呼制御装置によって選択される中継装置から、利用する中継装置を選択する選択部
を有し、
前記ログイン要求部は、前記選択部によって選択した中継装置に対して、前記ログインを要求する、請求項１に記載の情報処理装置。
【請求項３】
前記ログイン要求部は、前記情報処理装置が対応する通信方式から選択された通信方式を表す情報を付帯したログイン情報を使用して、前記呼制御装置にログインを要求し、
前記選択部は、該ログインの要求に対して、前記呼制御装置によって送信される中継装置の候補の中から利用する中継装置を選択する、請求項２に記載の情報処理装置。
【請求項４】
前記選択部は、前記情報処理装置によって中継装置を介して通信を行う通信方式が選択された場合に、該通信方式に応じて前記呼制御装置によって通知される中継装置の候補の中から利用する中継装置を選択する、請求項２に記載の情報処理装置。
【請求項５】
前記中継装置を介して通信を行う通信方式は、Ｈ．２６４／ＡＶＣ、またはＨ．２６４／ＳＶＣである、請求項４に記載の情報処理装置。
【請求項６】
前記サービス開始要求部は、前記情報処理装置によって中継装置を介して通信を行わない通信方式が選択された場合に、通信相手の他の情報処理装置との間で直接通信を行うことを前記呼制御装置に要求する、請求項１に記載の情報処理装置。
【請求項７】
前記中継装置を介さないで通信を行う通信方式は、ＷｅｂＲＴＣである、請求項６に記載の情報処理装置。
【請求項８】
通信ネットワークを介して呼制御装置、及び中継装置と接続される情報処理装置に、
中継装置に対して、ログインを要求させ、
前記ログインの要求に対して該中継装置によって送信されるログインを許可する通知を受信した場合に、該中継装置に通信に関するサービスの設定を依頼させ、
該サービスの設定に対して、前記中継装置によって送信される該サービスを識別するサービス識別情報、及び該サービスを利用する際に使用するログイン情報を含むサービス開始要求を使用し、前記呼制御装置を介して、通信相手の他の情報処理装置との間で前記サービスの開始を要求させる、情報処理プログラム。
【請求項９】
通信ネットワークを介して呼制御装置、中継装置、及び情報処理装置が接続される情報処理システムであって、
前記情報処理装置は、
中継装置に対して、ログインを要求するログイン要求部と、
前記ログインの要求に対して該中継装置によって送信されるログインを許可する通知を受信した場合に、該中継装置に通信に関するサービスの設定を依頼するサービス設定依頼部と、
該サービス設定依頼部によって依頼した前記サービスの設定に対して、前記中継装置によって送信される該サービスを識別するサービス識別情報、及び該サービスを利用する際に使用するログイン情報を含むサービス開始要求を使用し、前記呼制御装置を介して、通信相手の他の情報処理装置との間で前記サービスの開始を要求するサービス開始要求部と
を有し、
前記中継装置は、
前記情報処理装置によって要求されたログインの要求に対して、該情報処理装置のログインを許可するか否かを判断する認可部と、
該認可部によってログインを許可した前記情報処理装置によってサービスの設定が依頼された場合に、該サービスを設定し、該サービスを識別するサービス識別情報、及び該サービスを利用する際に使用するログイン情報を作成する参加許否処理部と、
該参加許否処理部によって作成した前記サービス識別情報、及び前記ログイン情報を前記情報処理装置に送信する送信部と
を有し、
前記呼制御装置は、
前記情報処理装置によって要求される前記サービス開始要求を前記他の情報処理装置に送信するとともに、該他の情報処理装置によって送信される応答を前記情報処理装置に転送する送受信部
を有する、情報処理システム。
【請求項１０】
通信ネットワークを介して呼制御装置、及び中継装置と接続される情報処理装置によって実行される情報処理方法であって、
中継装置に対して、ログインを要求し、
前記ログインの要求に対して該中継装置によって送信されるログインを許可する通知を受信した場合に、該中継装置に通信に関するサービスの設定を依頼し、
該サービスの設定に対して、前記中継装置によって送信される該サービスを識別するサービス識別情報、及び該サービスを利用する際に使用するログイン情報を含むサービス開始要求を使用し、前記呼制御装置を介して、通信相手の他の情報処理装置との間で前記サービスの開始を要求する、情報処理方法。
【発明の詳細な説明】
【技術分野】
【０００１】
本発明は、情報処理システムに関する。
【背景技術】
【０００２】
インターネットなどの通信ネットワークを介して遠隔地との間で、遠隔会議を行うテレビ会議システムが普及している。このテレビ会議システムでは、遠隔会議の出席者などの当事者の一方がいる会議室で、端末などの情報処理装置を用いて会議の当事者などの会議室の画像を撮影するとともに、発言などの音声を収集し、それをデジタルデータに変換して相手方の端末などの情報処理装置に送信する。相手方の会議室では、会議室の画像をディスプレイに表示するとともに、音声をスピーカにより出力する。
【０００３】
テレビ会議システムに関して、ネットワーク環境、及び中継装置のＩＰアドレスや、中継装置と端末との間の遅延に応じて、会議を行う際に使用する中継装置を選択する技術が知られている（例えば、特許文献１参照）。
【発明の概要】
【発明が解決しようとする課題】
【０００４】
従来のテレビ会議システムでは、会議を開始する際に使用する呼制御装置と、会議の最中に映像や音声を交換する中継装置との間に依存関係がある。このため、中継装置を交換したり、中継装置を追加したりするには呼制御装置を新たに追加する必要があり、容易にできない。
【０００５】
そこで、本発明は、情報処理装置間の呼制御に係る処理を行う呼制御装置と、情報処理装置間で情報の中継を行う中継装置とを有する通信システムにおいて、中継装置の交換や、中継装置を追加することを容易することを目的とする。
【課題を解決するための手段】
【０００６】
開示の一実施例の情報処理装置は、
通信ネットワークを介して呼制御装置、及び中継装置と接続される情報処理装置であって、
中継装置に対して、ログインを要求するログイン要求部と、
前記ログインの要求に対して該中継装置によって送信されるログインを許可する通知を受信した場合に、該中継装置に通信に関するサービスの設定を依頼するサービス設定依頼部と、
該サービス設定依頼部によって依頼した前記サービスの設定に対して、前記中継装置によって送信される該サービスを識別するサービス識別情報、及び該サービスを利用する際に使用するログイン情報を含むサービス開始要求を使用し、前記呼制御装置を介して、通信相手の他の情報処理装置との間で前記サービスの開始を要求するサービス開始要求部と
を有する。
【発明の効果】
【０００７】
開示の実施例によれば、情報処理装置間の呼制御に係る処理を行う呼制御装置と、情報処理装置間で情報の中継を行う中継装置とを有する通信システムにおいて、中継装置の交換や、中継装置を追加することを容易にすることができる。
【図面の簡単な説明】
【０００８】
【図１】本発明の第１の実施形態に係る伝送システムの概略図である。
【図２】伝送システムにおける画像データ、音声データ、及び各種管理情報の送受信の状態を示した概念図である。
【図３】画像データの画質を説明する概念図である。
【図４】本実施形態に係る伝送端末のハードウェア構成図である。
【図５】本実施形態に係る中継装置、伝送管理システム、プログラム提供システムまたはメンテナンスシステムのハードウェア構成図である。
【図６】本実施形態に係る伝送システムを構成する各伝送端末、中継装置及び伝送管理システムの機能ブロック図である。
【図７】参加許否判断テーブルを示す概念図である。
【図８】中継装置管理テーブルを示す概念図である。
【図９】端末認証管理テーブルを示す概念図である。
【図１０】端末管理テーブルを示す概念図である。
【図１１】宛先リスト管理テーブルを示す概念図である。
【図１２】通信システムの動作の一実施例（その１）を示すシーケンスチャートである。
【図１３】通信システムの動作の一実施例（その２）を示すシーケンスチャートである。
【図１４】通信システムの動作の一実施例（その３）を示すシーケンスチャートである。
【図１５】伝送管理システムの動作の一実施例を示すフローチャートである。
【図１６】通信システムの動作の一実施例（その４）を示すシーケンスチャートである。
【図１７】宛先リストの表示画面の一例を示す図である。
【図１８】通信システムの動作の一実施例（その５）を示すシーケンスチャートである。
【発明を実施するための形態】
【０００９】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１０】
〔第１の実施形態〕
＜＜実施形態の全体構成＞＞
図１は、本実施形態に係る伝送システム１の概略図である。図２は、伝送システムにおける画像データ、音声データ、及び各種管理情報の送受信の状態を示した概念図である。図３は、画像データの画質を説明する概念図である。
【００１１】
また、伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビ会議システムやテレビ電話システム等が例として挙げられる。
【００１２】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定した上で、伝送システム、伝送管理システム、及び伝送端末について説明する。即ち、本発明の伝送端末及び伝送管理システムは、テレビ会議システムに適用されるだけでなく、コミュニケーションシステム、又は伝送システムにも適用される。
【００１３】
まず、図１に示されている伝送システム１は、複数の伝送端末（１０ａａ，１０ａｂ，…）、各伝送端末（１０ａａ，１０ａｂ，…）用のディスプレイ（１２０ａａ，１２０ａｂ，…）、複数の中継装置（３０ａ，３０ｂ，３０ｃ，３０ｄ）、伝送管理システム５０、プログラム提供システム９０、及びメンテナンスシステム１００によって構築されている。
【００１４】
なお、以下では、「伝送端末」を単に「端末」として表し、「伝送管理システム」を単に「管理システム」として表す。また、複数の端末（１０ａａ，１０ａｂ，…）のうち任意の端末は、「端末１０」と表され、複数のディスプレイ（１２０ａａ，１２０ａｂ，…）のうち任意のディスプレイは「ディスプレイ１２０」と表され、複数の中継装置（３０ａ，３０ｂ，３０ｃ，３０ｄ）のうち任意の中継装置は「中継装置３０」と表されている。更に、テレビ会議の開始を要求する要求元としての端末は「要求元端末」と表され、要求先（通信相手）である宛先（中継先）としての端末は「宛先端末」と表されている。
【００１５】
複数の端末１０は、コンテンツデータの一例としての画像データ及び音声データの送受信による伝送を行う。
【００１６】
また、図２に示されているように、伝送システム１において、要求元端末と宛先端末との間では、管理システム５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、及び音声データの４つの各データを送受信するための４つのセッションが確立される。ここでは、これら４つのセッションをまとめて、画像・音声データ用セッションｓｅｄとして示している。
【００１７】
ここで、本実施形態で扱われる画像データの画像の解像度について説明する。図３（ａ）に示されているように、横が１６０画素、縦が１２０画素から成り、ベース画像となる低解像度の画像と、図３（ｂ）に示されているように、横が３２０画素、縦が２４０画素から成る中解像度の画像と、図３（ｃ）に示されているように、横が６４０画素、縦が４８０画素から成る高解像度の画像とがある。このうち、狭帯域経路を経由する場合には、ベース画像となる低解像度の画像データのみから成る低画質の画像データが中継される。帯域が比較的広い場合には、ベース画像となる低解像度の画像データ、及び中解像度の画像データから成る中画質の画像データが中継される。また、帯域が非常に広い場合には、ベース画質となる低解像度の画像データ、中画解像度の画像データ、及び高解像度の画像データから成る高画質の画像データが中継される。
【００１８】
図１に示されている中継装置３０は、複数の端末１０の間で、コンテンツデータの中継を行う。管理システム５０は、端末１０からのログイン認証、端末１０の通話状況の管理、宛先リストの管理等、及び中継装置３０の通信状況等を一元的に管理する。なお、画像データの画像は、動画であっても静止画であってもよく、動画と静止画の両方であってもよい。
【００１９】
複数のルータ（７０ａ，７０ｂ，７０ｃ，７０ｄ，７０ａｂ，７０ｃｄ）は、画像データ及び音声データの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００２０】
プログラム提供システム９０は、後述のＨＤ(Hard Disk)２０４を備えており、端末１０に各種機能を実現させる（又は、端末１０を各種手段として機能させる）ための端末用プログラムが記憶され、端末１０に端末用プログラムを送信することができる。また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。更に、プログラム提供システム９０のＨＤ２０４には、管理システム５０に各種機能を実現させる（又は、管理システム５０を各種手段として機能させる）ための伝送管理用プログラムも記憶されており、管理システム５０に、伝送管理用プログラムを送信することができる。
【００２１】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されている場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０のうちの少なくとも１つにおける機種番号、製造番号、販売先、保守点検、又は故障履歴の管理等のメンテナンスを行う。
【００２２】
ところで、端末（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２３】
一方、端末（１０ｃａ，１０ｃｂ，１０ｃｃ，・・・）、中継装置３０ｃ、及びルータ７０ｃは、ＬＡＮ２ｃによって通信可能に接続されている。端末（１０ｄａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００２４】
また、管理システム５０、及びプログラム提供システム９０は、インターネット２ｉを介して、端末１０、及び中継装置３０と通信可能に接続されている。管理システム５０、及びプログラム提供システム９０は、地域Ａ又は地域Ｂに設置されていてもよいし、これら以外の地域に設置されていてもよい。
【００２５】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく、WｉＦｉ（Wireless Fidelity）や、Ｂｌｕｅｔｏｏｔｈ（登録商標）等の無線による通信が行われる箇所があってもよい。
【００２６】
また、図１において、各端末１０、各中継装置３０、管理システム５０、各ルータ７０、及びプログラム提供システム９０の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２７】
なお、各端末１０は、複数の事業所間での通話や、同じ事業所内の異なる部屋間での通話だけでなく、同じ部屋内での通話や、屋外と屋内又は屋外と屋外での通話で使われてもよい。各端末１０が屋外で使われる場合には、携帯電話通信網等の無線による通信が行われる。
【００２８】
＜＜実施形態のハードウェア構成＞＞
次に、本実施形態のハードウェア構成を説明する。
【００２９】
図４は、本発明の本実施形態に係る端末１０のハードウェア構成図である。図４に示されているように、本実施形態の端末１０は、端末１０全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、端末用プログラム、画像データ、及び音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００３０】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、及び上記各構成要素を図５に示されているように電気的に接続するためのアドレスバスやデータバス等のバスライン１１０を備えている。
【００３１】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(登録商標)(High-Definition Multimedia Interface)やＤＶＩ(Digital Video Interactive)信号用のケーブルであってもよい。
【００３２】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００３３】
外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００３４】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００３５】
更に、上記端末用プログラムは、インストール可能な形式又は実行可能な形式のファイルで、上記記録メディア１０６等の、コンピュータで読み取り可能な記録媒体に記録して流通させるようにしてもよい。また、上記端末用プログラムは、フラッシュメモリ１０４ではなくＲＯＭ１０２に記憶させるようにしてもよい。
【００３６】
図５は、本発明の本実施形態に係る管理システムのハードウェア構成図である。管理システム５０は、管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、伝送管理用プログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、及び、上記各構成要素を図５に示されているように電気的に接続するためのアドレスバスやデータバス等のバスライン２１０を備えている。
【００３７】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記伝送管理用プログラムは、ＨＤ２０４ではなくＲＯＭ２０２に記憶されるようにしてもよい。
【００３８】
また、中継装置３０は、上記管理システム５０と同様のハードウェア構成を有しているため、その説明を省略する。但し、ＨＤ２０４には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記中継装置用プログラムは、ＨＤ２０４ではなくＲＯＭ２０２に記憶されるようにしてもよい。
【００３９】
また、プログラム提供システム９０及びメンテナンスシステム１００は、上記管理システム５０と同様のハードウェア構成を有しているため、その説明を省略する。但し、ＨＤ２０４には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記プログラム提供システム用プログラムは、ＨＤ２０４ではなくＲＯＭ２０２に記憶されるようにしてもよい。
【００４０】
なお、上記着脱可能な記録媒体の他の例として、ＣＤ−Ｒ(Compact Disc Recordable)、ＤＶＤ(Digital Versatile Disk)、ブルーレイディスク等のコンピュータで読み取り可能な記録媒体に記録して提供するように構成してもよい。
【００４１】
＜＜実施形態の機能構成＞＞
次に、本実施形態の機能構成について説明する。図６は、本実施形態の伝送システム１を構成する各伝送端末、中継装置及び伝送管理システムの機能ブロック図である。図６では、端末１０、中継装置３０、及び管理システム５０が、通信ネットワーク２を介してデータ通信することができるように接続されている。また、図１に示されているプログラム提供システム９０は、テレビ会議の通信において直接関係ないため、図６では省略されている。
【００４２】
＜端末の機能構成＞
端末１０は、送受信部１１、操作入力受付部１２、ログイン要求部１３、撮像部１４、音声入力部１５ａ、音声出力部１５ｂ、最終選択部１６、表示制御部１７、及び記憶・読出処理部１９を有している。これら各部は、図４に示されている各構成要素のいずれかが、フラッシュメモリ１０４からＲＡＭ１０３上に展開された端末用プログラムに従ったＣＰＵ１０１からの命令によって動作することで実現される機能、又は機能する手段である。また、端末１０は、図４に示されているＲＡＭ１０３、及び図４に示されているフラッシュメモリ１０４によって構築される記憶部１０００を有している。
【００４３】
（端末の各機能構成）
次に、図４及び図６を用いて、端末１０の各機能構成について詳細に説明する。なお、以下では、端末１０の各機能構成を説明するにあたって、図４に示されている各構成要素のうち、端末１０の各機能構成を実現させるための主な構成要素との関係も説明する。
【００４４】
図６に示されている端末１０の送受信部１１は、図４に示されているＣＰＵ１０１からの命令、及び図４に示されているネットワークＩ／Ｆ１１１によって実現され、通信ネットワーク２を介して他の端末、装置又はシステムと各種データ（または情報）の送受信を行う。この送受信部１１は、所望の宛先端末と通話を開始する前から、管理システム５０より、宛先候補としての各端末の状態を示す各状態情報の受信を開始する。なお、この状態情報は、各端末１０の稼動状態（オンラインかオフラインかの状態）だけでなく、オンラインであっても更に通話可能であるか、通話中であるか、離籍中であるか等の詳細な状態を示す。また、この状態情報は、各端末１０の稼動状態だけでなく、端末１０でケーブル１２０ｃが端末１０から外れていたり、音声を出力するが画像は出力させなかったり、音声を出力さないようにする（ＭＵＴＥ）等、様々な状態を示す。以下では、一例として、状態情報が稼動状態を示す場合について説明する。
【００４５】
操作入力受付部１２は、図４に示されているＣＰＵ１０１からの命令、並びに図４に示されている操作ボタン１０８及び電源スイッチ１０９によって実現され、利用者による各種入力を受け付ける。例えば、利用者が、図４に示されている電源スイッチ１０９をＯＮにすると、図６に示されている操作入力受付部１２が電源ＯＮを受け付けて、電源をＯＮにする。
【００４６】
ログイン要求部１３は、図４に示されているＣＰＵ１０１からの命令によって実現され、上記電源ＯＮの受け付けを契機として、送受信部１１から通信ネットワーク２を介して管理システム５０に、ログインを要求する旨を示すログイン要求情報、及び要求元端末の現時点のＩＰアドレスを自動的に送信する。また、利用者が電源スイッチ１０９をＯＮの状態からＯＦＦにすると、送受信部１１が管理システム５０へ電源をＯＦＦする旨の状態情報を送信した後に、操作入力受付部１２が電源を完全にＯＦＦにする。これにより、管理システム５０側では、端末１０が電源ＯＮから電源ＯＦＦになったことを把握することができる。
【００４７】
撮像部１４は、図４に示されているＣＰＵ１０１からの命令、並びに図４に示されているカメラ１１２及び撮像素子Ｉ／Ｆ１１３によって実現され、被写体を撮像して、この撮像して得た画像データを出力する。
【００４８】
音声入力部１５ａは、図４に示されているＣＰＵ１０１からの命令、及び図４に示されている音声入出力Ｉ／Ｆ１１６によって実現され、マイク１１４によって利用者の音声が音声信号に変換された後、この音声信号に係る音声データを入力する。音声出力部１５ｂは、図４に示されているＣＰＵ１０１からの命令、及び図４に示されている音声入出力Ｉ／Ｆ１１６によって実現され、音声データに係る音声信号をスピーカに出力し、スピーカ１１５から音声を出力させる。
【００４９】
最終選択部１６は、利用者によって中継装置３０を使用するように選択された場合に、複数の中継装置３０の候補から最終的に１つの中継装置３０を選択する最終選択処理を行う。
【００５０】
表示制御部１７は、図４に示されているＣＰＵ１０１からの命令、及び図４に示されているディスプレイＩ／Ｆ１１７によって実現され、後述のように、受信された解像度の異なる画像データを組み合わせ、この組み合わされた画像データをディスプレイ１２０に送信するための制御を行う。また、表示制御部１７は、管理システム５０から受信した宛先リストの情報をディスプレイ１２０に送信して、ディスプレイ１２０に宛先リストを表示させることができる。
【００５１】
さらに、表示制御部１７は、会議設定部１７２、及び会議開始要求部１７４を有する。会議設定部１７２は、宛先端末との間で会議を設定する。例えば、会議設定部１７２は、ログインの要求に対して中継装置３０によって送信されるログインを許可する通知を受信した場合に、該中継装置３０に会議室を設定することを依頼する。また、会議設定部１７２は、伝送管理システム５０を介して、宛先端末との間で会議を設定する。会議開始要求部１７４は、会議設定部１７２によって依頼した会議室の設定に対して、中継装置３０によって送信される該会議を識別する会議室ＩＤ、及び該会議を利用する際に使用する会議ＩＤ，及びパスワードなどのログイン情報を含む開始要求を使用し、伝送管理システム５０を介して、宛先端末との間で会議開始を要求する。
【００５２】
記憶・読出処理部１９は、図４に示されているＣＰＵ１０１からの命令及び図４に示すＳＳＤ１０５によって実行され、又はＣＰＵ１０１からの命令によって実現され、記憶部１０００に各種データを記憶したり、記憶部１０００に記憶された各種データを読み出したりする処理を行う。この記憶部１０００には、端末１０を識別するための通信ＩＤ(Identification）、該通信ＩＤに対応するパスワード、参加する会議を識別するための会議ＩＤ、該会議ＩＤに対応するパスワード等が記憶される。更に、記憶部１０００には、宛先端末との通話を行う際に受信される画像データ及び音声データが、受信される度に上書き記憶される。このうち、上書きされる前の画像データによってディスプレイ１２０に画像が表示され、上書きされる前の音声データによってスピーカ１５０から音声が出力される。
【００５３】
なお、本実施形態の通信ＩＤ、会議ＩＤ、及び後述の中継装置ＩＤは、それぞれ端末１０、会議、及び中継装置３０などの通信先を一意に識別するために使われる言語、文字、記号、又は各種のしるし、メールアドレス、固有のＩＤ等の識別情報を示す。また、通信ＩＤ、会議ＩＤ、及び中継装置ＩＤは、上記言語、文字、記号、及び各種のしるしのうち、少なくとも２つが組み合わされた識別情報であってもよい。
【００５４】
＜中継装置の機能構成＞
中継装置３０は、送受信部３１、状態検知部３２、端末認可部３６、参加許否処理部３７、及び記憶・読出処理部３９を有している。これら各部は、図５に示されている各構成要素のいずれかが、ＨＤ２０４からＲＡＭ２０３上に展開された中継装置用プログラムに従ったＣＰＵ２０１からの命令によって動作することで実現される機能又は機能する手段である。また、中継装置３０は、図６に示されているＲＡＭ２０３、及びは図５に示されているＨＤ２０４の両方又は一方によって構築される記憶部３０００を有している。
【００５５】
（参加許否判断テーブル）
記憶部３０００には、図７に示されているような参加許否判断テーブルによって構成されている参加許否判断ＤＢ３００１が構築されている。この参加許否判断テーブルでは、全ての会議を識別する識別情報である各会議ＩＤに対して、ＰＩＮ(Personal Identification Number)などのパスワードがそれぞれが関連付けられて管理される。例えば、図７に示されている参加許否判断テーブルにおいて、会議の会議ＩＤ「ｃｏｎ１」のパスワードは「０１ａａａａ」であることが示されている。
【００５６】
（中継装置の各機能構成）
次に、中継装置３０の各機能構成について詳細に説明する。なお、以下では、中継装置３０の各機能構成を説明するにあたって、図５に示されている各構成要素のうち、中継装置３０の各機能構成を実現させるための主な構成要素との関係も説明する。
【００５７】
図６に示されている中継装置３０の送受信部３１は、図５に示されているＣＰＵ２０１からの命令、及び図５に示されているネットワークＩ／Ｆ２０９によって実現され、通信ネットワーク２を介して他の端末、装置、又はシステムと各種データ（または情報）の送受信を行う。
【００５８】
状態検知部３２は、図５に示されているＣＰＵ２０１からの命令によって実現され、この状態検知部３２を有する中継装置３０の稼動状態を検知する。稼動状態としては、「オンライン」、「オフライン」、「通話中」又は「一時中断」の状態がある。
【００５９】
端末認可部３６は、図５に示されているＣＰＵ２０１からの命令によって実現され、要求元端末によって送信されるログイン要求情報に応じて認可処理を行う。ログイン処理を行う際に、端末認可部３６は、伝送管理システム５０の有する端末認証管理ＤＢ５００２に格納される端末認証管理テーブルを参照して、認可要求に含まれる通信ＩＤとパスワードの組み合わせに一致するものがあるか否かによって、認可処理を行う。また、端末認可部３６は、伝送管理システム５０に、要求元端末によって送信される認可要求を転送し、認可処理を依頼するようにしてもよい。また、要求元端末は伝送管理システム５０によって発行されたアクセストークンを取得し、該アクセストークンを含む認可要求を送信するようにしてもよい。この場合、端末認可部３６は認可要求に含まれるアクセストークンの検証結果に応じて認可処理を行う。
【００６０】
参加許否処理部３７は、図５に示されているＣＰＵ２０１からの命令によって実現され、送受信部３１を介して受信された会議室作成要求に応じて、会議室を作成するとともに、該会議室で開催される会議を識別する識別情報である会議ＩＤ，及びＰＩＮなどのパスワードを対応付け、参加許否判断ＤＢ３００１に格納する。その後、参加許否処理部３７は、ログイン要求に含まれている会議ＩＤ及びパスワードを検索キーとして、記憶部３０００の参加許否管理ＤＢ３００１を検索し、参加許否判断ＤＢ３００１に同一の会議ＩＤ及びパスワードが管理されているか否かを判断することによって参加を許可するか否かの判断を行う。
【００６１】
記憶・読出処理部３９は、図５に示されているＣＰＵ２０１からの命令、及び図５に示されているＨＤＤ２０５によって実現され、記憶部３０００に各種データを記憶したり、記憶部３０００に記憶された各種データを読み出したりする処理を行う。
【００６２】
＜管理システムの機能構成＞
管理システム５０は、送受信部５１、端末認証部５２、状態管理部５３、端末抽出部５４、端末状態取得部５５、一次選択部５６、及び記憶・読出処理部５９を有している。これら各部は、図５に示されている各構成要素のいずれかが、ＨＤ２０４からＲＡＭ２０３上に展開された管理システム用プログラムに従ったＣＰＵ２０１からの命令によって動作することで実現される機能又は機能する手段である。また、管理システム５０は、図５に示されているＨＤ２０４により構築される記憶部５０００を有している。
【００６３】
（中継装置管理テーブル）
記憶部５０００には、図８に示されているような中継装置管理テーブルによって構成されている中継装置管理ＤＢ５００１が構築されている。この中継装置管理テーブルでは、各中継装置３０の中継装置ＩＤ毎に、各中継装置３０の稼動状態、中継装置３０のＩＰアドレス、及び中継装置３０が対応している通信方式が関連付けられて管理される。通信方式は、符号化方式、送信帯域などに基づいて決定するようにしてもよい。ここで、方式１の一例はＨ．２６４／ＡＶＣ、方式２の一例はＨ．２６４／ＳＶＣである。中継装置３０によって方式１で送受信される映像は方式１に対応している端末でないと送受信できず、中継装置によって方式２で送受信される映像は方式２に対応している端末でないと送受信できない。例えば、図８に示されている中継装置管理テーブルにおいて、中継装置ＩＤが「１１１ａ」の中継装置３０ａは、稼動状態が「オンライン」で、この中継装置３０ａのＩＰアドレスが「１．２．１．２」で、この中継装置３０ａが対応している通信方式が方式１であることが示されている。
【００６４】
（端末認証管理テーブル）
更に、記憶部５０００には、図９に示されているような端末認証管理テーブルによって構成されている端末認証管理ＤＢ５００２が構築されている。この端末認証管理テーブルでは、管理システム５０によって管理される全ての端末１０の各通信ＩＤに対して、各パスワードが関連付けられて管理される。例えば、図９に示されている端末認証管理テーブルにおいて、端末１０ａａの通信ＩＤは「０１ａａ」で、パスワードは「ａａａａ」であることが示されている。
【００６５】
（端末管理テーブル）
また、記憶部５０００には、図１０に示されているような端末管理テーブルによって構成されている端末管理ＤＢ５００３が構築されている。この端末管理テーブルでは、各端末１０の通信ＩＤ毎に、各端末１０を宛先とした場合の宛先名、各端末１０の稼動状態、後述のログイン要求情報が管理システム５０で受信された受信日時、端末１０のＩＰアドレス、及び端末１０が対応している通信方式が関連付けられて管理される。ここで、通信方式の欄に記載されている「方式３」は、ＷｅｂＲＴＣ(Web Real-Time Communication)などの中継装置３０を介さないで、直接端末間で通信を行う通信方式である。例えば、図１０に示されている端末管理テーブルにおいて、通信ＩＤが「０１ａａ」の端末１０ａａは、端末名が「日本 東京事業所 ＡＡ端末」で、稼動状態が「オンライン（通話可能）」で、管理システム５０でログイン要求情報が受信された日時が「２００９年１１月１０日の１３時４０分」で、この端末１０ａａのＩＰアドレスが「１．２．１．３」で、この端末１０ａａが対応している通信方式が「方式１」であることが示されている。
【００６６】
（宛先リスト管理テーブル）
更に、記憶部５０００には、図１１に示されているような宛先リスト管理テーブルによって構成されている宛先リスト管理ＤＢ５００４が構築されている。この宛先リスト管理テーブルでは、テレビ会議における通話の開始を要求する要求元端末の通信ＩＤに対して、宛先端末の候補として登録されている宛先端末の通信ＩＤが全て関連付けられて管理される。例えば、図１１に示されている宛先リスト管理テーブルにおいて、通信ＩＤが「０１ａａ」である要求元端末（端末１０ａａ）からテレビ会議における通話の開始を要求することができる宛先端末の候補は、通信ＩＤが「０１ａｂ」の端末１０ａｂ、通信ＩＤが「０１ｂａ」の端末１０ｂａ、及び通信ＩＤが「０１ｂｂ」の端末１０ｂｂ等であることが示されている。この宛先端末の候補は、任意の要求元端末から管理システム５０に対する追加又は削除の要請により、追加又は削除されることで更新される。
【００６７】
（管理システムの各機能構成）
次に、管理システム５０の各機能構成について詳細に説明する。なお、以下では、管理システム５０の各機能構成を説明するにあたって、図５に示されている各構成要素のうち、管理システム５０の各機能構成を実現させるための主な構成要素との関係も説明する。
【００６８】
送受信部５１は、図５に示されているＣＰＵ２０１からの命令、及び図５に示されているネットワークＩ／Ｆ２０９によって実行され、通信ネットワーク２を介して他の端末、装置又はシステムと各種データ（または情報）の送受信を行う。
【００６９】
端末認証部５２は、図５に示されているＣＰＵ２０１からの命令によって実現され、送受信部５１を介して受信されたログイン要求情報に含まれている通信ＩＤ及びパスワードを検索キーとして、記憶部５０００の端末認証管理ＤＢ５００２を検索し、端末認証管理ＤＢ５００２に同一の通信ＩＤ及びパスワードが管理されているかを判断することによって端末認証を行う。
【００７０】
状態管理部５３は、図５に示されているＣＰＵ２０１からの命令によって実現され、ログイン要求してきた要求元端末の稼動状態を管理すべく、端末管理ＤＢ５００３（図１０参照）に、この要求元端末の通信ＩＤ、要求元端末の稼動状態、管理システム５０でログイン要求情報が受信された受信日時、要求元端末のＩＰアドレス、及び要求元端末が対応している通信方式を関連付けて記憶して管理する。また、状態管理部５３は、利用者が端末１０の電源スイッチ１０９の状態をＯＮからＯＦＦにすることで、端末１０から送られてきた、電源をＯＦＦにする旨の状態情報に基づいて、端末管理ＤＢ５００３（図１０参照）のオンラインを示す稼動状態をオフラインに変更する。
【００７１】
端末抽出部５４は、図５に示されているＣＰＵ２０１からの命令によって実現され、ログイン要求した要求元端末の通信ＩＤをキーとして、宛先リスト管理ＤＢ５００４（図１１参照）を検索し、要求元端末と通話することができる宛先端末の候補の通信ＩＤを読み出すことで、通信ＩＤを抽出する。また、端末抽出部５４は、ログイン要求してきた要求元端末の通信ＩＤをキーとして、宛先リスト管理ＤＢ５００４（図１１参照）を検索し、上記要求元端末の通信ＩＤを宛先端末の候補として登録している他の要求元端末の通信ＩＤも抽出する。
【００７２】
端末状態取得部５５は、図５に示されているＣＰＵ２０１からの命令によって実現され、上記端末抽出部５４によって抽出された宛先端末の候補の通信ＩＤを検索キーとして、端末管理ＤＢ５００３（図１０参照）を検索し、上記端末抽出部５４によって抽出された通信ＩＤ毎に稼動状態を読み出す。これにより、端末状態取得部５５は、ログイン要求してきた要求元端末と通話することができる宛先端末の候補の稼動状態を取得することができる。また、端末状態取得部５５は、上記端末抽出部５４によって抽出された通信ＩＤを検索キーとして、端末管理ＤＢ５００３を検索し、ログイン要求してきた要求元端末の稼動状態も取得する。
【００７３】
一次選択部５６は、図５に示されているＣＰＵ２０１からの命令によって実現され、複数の中継装置３０から最終的に１つの中継装置３０を選択する最終選択処理を支援するため、この最終選択処理前の一次選択処理を行う。
【００７４】
記憶・読出処理部５９は、図５に示されているＣＰＵ２０１からの命令、及び図５に示されているＨＤＤ２０５によって実行され、記憶部５０００に各種データを記憶したり、記憶部５０００に記憶された各種データを読み出す処理を行う。
【００７５】
＜＜実施形態の処理または動作＞＞
次に、本実施形態に係る伝送システム１における処理方法を説明する。なお、図１２は、各中継装置３０から管理システム５０に送信された各中継装置３０の状態を示す状態情報を管理する処理を示したシーケンス図である。
【００７６】
まず、図１２を用いて、各中継装置３０から管理システム５０に送信された各中継装置３０の状態を示す状態情報を管理する処理を説明する。まず、各中継装置３０では、図６に示されている状態検知部３２が、自装置である中継装置３０の稼動状態を定期的に検知している（ステップＳ１−１〜Ｓ１−４）。そして、管理システム５０側で各中継装置３０の稼動状態をリアルタイムで管理させるべく、各中継装置３０の送受信部３１は、定期的に通信ネットワーク２を介して管理システム５０へ各状態情報を送信する（ステップＳ２−１〜Ｓ２−４）。これら各状態情報には、中継装置３０毎の中継装置ＩＤと、これら各中継装置ＩＤに係る中継装置３０の状態検知部３２で検知された稼動状態とが含まれている。なお、本実施形態では、中継装置（３０ａ，３０ｂ，３０ｄ）は、正常に稼動して「オンライン」となっている一方で、中継装置３０ｃは稼働中ではあるが、中継装置３０ｃの中継動作を実行するためのプログラムに何らかの不具合が生じて、「オフライン」となっている場合が示されている。
【００７７】
次に、管理システム５０では、各中継装置３０から送られて来た各状態情報を送受信部５１が受信し、記憶・読出処理部５９を介して記憶部５０００の中継装置管理ＤＢ５００１（図８参照）に、中継装置ＩＤ毎に状態情報を記憶して管理する（ステップＳ３−１〜Ｓ３−４）。これにより、図８に示されるような中継装置管理テーブルに対して、中継装置ＩＤ毎に「オンライン」、「オフライン」、又は「故障中」のいずれかの稼動状態が記憶されて管理される。なお、中継装置３０から状態情報が送られない場合には、図８に示されている中継装置管理テーブルの各レコードにおける稼動状態のフィールド部分が空白になるか、又は、前回の受信時の稼動状態をそれぞれ示す。
【００７８】
次に、図１３を用いて、端末１０ａａと端末１０ｄｂとの間で、通話を開始する前の準備段階における各管理情報の送受信処理について説明する。なお、図１３では、全て図２に示されている管理情報用セッションｓｅｉによって、各種管理情報が送受信される。
【００７９】
まず、利用者が、図４に示されている電源スイッチ１０９をＯＮにすると、図６に示されている操作入力受付部１２が電源ＯＮを受け付けて、電源をＯＮにする（ステップＳ２１）。そして、ログイン要求部１３は、上記電源ＯＮの受け付けを契機とし、送受信部１１から通信ネットワーク２を介して管理システム５０に、ログイン要求を示すログイン要求情報を自動的に送信する（ステップＳ２２）。このログイン要求情報には、要求元としての自端末である端末１０ａａを識別するための通信ＩＤ及びパスワード、端末１０ａａのＩＰアドレス、端末１０ａａが対応している通信方式、及び中継装置３０を介して通信を行うか否かを表す情報が含まれている。これら通信ＩＤ及びパスワード、端末１０ａａのＩＰアドレス、及び端末１０ａａが対応している通信方式は、記憶・読出処理部１９を介して記憶部１０００から読み出されて、送受信部１１に送られたデータである。中継装置３０を介して通信を行うか否かを表す情報は、使用者によって指定されることによって、操作入力受付部１２によって受け付けられたものである。なお、端末１０ａａから管理システム５０へログイン要求情報が送信される際は、受信側である管理システム５０は、送信側である端末１０ａａのＩＰアドレスを把握することができる。
【００８０】
次に、管理システム５０の端末認証部５２は、送受信部５１を介して受信したログイン要求情報に含まれている通信ＩＤ及びパスワードを検索キーとして、記憶部５０００の端末認証管理ＤＢ５００２（図９参照）を検索し、端末認証管理ＤＢ５００２に同一の通信ＩＤ及びパスワードが管理されているかを判断することによって端末認証を行う（ステップＳ２３）。この端末認証部５２によって、同一の通信ＩＤ及びパスワードが管理されているため、正当な利用権限を有する端末１０からのログイン要求であると判断された場合には、状態管理部５３は、端末管理ＤＢ５００３（図１０参照）に、端末１０ａａの通信ＩＤ、稼動状態、上記ログイン要求情報が受信された受信日時、端末１０ａａのＩＰアドレス、及び端末１０ａａが対応している通信方式を関連付けて記憶する（ステップＳ２４）。これにより、図１０に示されている端末管理テーブルには、通信ＩＤ「０１ａａ」に、稼動状態「オンライン」、受信日時「２００９．１１．１０．１３：４０」、端末１０ａａのＩＰアドレス「１．２．１．３」及び通信方式「方式１」が関連付けて管理されることになる。
【００８１】
そして、管理システム５０の送受信部５１は、上記端末認証部５２によって得られた認証結果が示された認証結果情報を、通信ネットワーク２を介して、上記ログイン要求してきた要求元端末（端末１０ａａ）に送信する（ステップＳ２５）。本実施形態では、端末認証部５２によって正当な利用権限を有する端末であると判断された場合について、以下続けて説明する。
【００８２】
管理システム５０の端末抽出部５４は、ログイン要求した要求元端末（端末１０ａａ）の通信ＩＤ「０１ａａ」を検索キーとして、宛先リスト管理ＤＢ５００４（図１１参照）を検索し、要求元端末（端末１０ａａ）と通信することができる宛先端末の候補の通信ＩＤを読み出すことによって抽出する（ステップＳ２６）。ここでは、要求元端末（端末１０ａａ）の通信ＩＤ「０１ａａ」に対応する宛先端末（端末１０ａｂ，１０ｂａ，１０ｄｂ）のそれぞれの通信ＩＤ（「０１ａｂ」、「０１ｂａ」、「０１ｄｂ」）が抽出されることになる。
【００８３】
次に、端末状態取得部５５は、上記端末抽出部５４によって抽出された宛先端末の候補の通信ＩＤ（「０１ａｂ」、「０１ｂａ」、「０１ｄｂ」）を検索キーとして、端末管理ＤＢ５００３（図１０参照）を検索し、上記端末抽出部５４によって抽出された通信ＩＤ毎に稼動状態（「オフライン」、「オンライン」、「オフライン」）を読み出すことにより、端末（１０ａｂ，１０ｂａ，１０ｄｂ）の各稼動状態を取得する（ステップＳ２７）。
【００８４】
次に、一次選択部５６は、送受信部５１を介して受信したログイン要求情報に中継装置３０を介して通信を行うことを指定する情報が含まれているか否かを判定する（ステップＳ２８）。
【００８５】
ログイン要求情報に中継装置３０を介して通信を行うことを表す情報が含まれている場合、一次選択部５６は、送受信部５１を介して受信したログイン要求情報に含まれている端末１０ａａが対応している通信方式を検索キーとして、中継装置管理ＤＢ５００１（図８参照）を検索し、その端末１０ａａが対応している通信方式に対応している中継装置で、且つ稼動状態が「オンライン」である中継装置の候補の中継装置ＩＤ（１１１ａ，１１１ｂ，１１１ｄ）を読み出すことによって抽出する。
【００８６】
一次選択部５６は、端末状態取得部５５によって取得された宛先端末の候補の端末（１０ａｂ，１０ｂａ，１０ｄｂ）の各稼動状態のうち「オンライン」である端末（１０ｂａ，１０ｄｂ）が対応している通信方式（「方式１，方式２」，「方式２」）を検索キーとして、中継装置管理ＤＢ５００１（図８参照）を検索し、その端末（１０ｂａ，１０ｄｂ）が対応している通信方式のいずれかに対応している中継装置で、且つ稼動状態が「オンライン」である中継装置の候補の中継装置ＩＤを読み出すことによって抽出する（ステップＳ２９）。ここでは、端末（１０ｂａ）は「方式１」及び「方式２」に対応し、且つ中継装置３０ａ、３０ｂ、及び３０ｄが「オンライン」であるため、「方式１」又は「方式２」に対応している中継装置の中継装置ＩＤ（「１１１ａ」，「１１１ｂ」，「１１１ｄ」）が抽出される。また、端末１０ｄｂは「方式２」に対応し、且つの中継装置３０ａ、３０ｂ、及び３０ｄが「オンライン」であるため、「方式２」に対応している中継装置の中継装置ＩＤ（「１１１ｄ」）が抽出される（ステップＳ２９）。
【００８７】
ステップＳ２８においてログイン要求情報に中継装置３０を介して通信を行うことを表す情報が含まれていない場合、又はステップＳ２９の処理が終了した場合、送受信部５１は、宛先状態を示す宛先状態情報を端末１０ａａに送信する（ステップＳ３０）。この宛先状態情報には、上記ステップＳ２６で抽出された宛先の候補の通信ＩＤ、その宛先の候補の端末の稼動状態、ステップＳ２８においてログイン要求情報に中継装置３０を介して通信を行うことを表す情報が含まれている場合にはその宛先の候補の端末と通信する際に利用できる中継装置の中継装置ＩＤが含まれている。これにより、要求元端末（端末１０ａａ）は、この要求元端末（端末１０ａａ）と通信することができる宛先端末の候補である端末（１０ａｂ，１０ｂａ，１０ｄｂ）の現時点のそれぞれの稼動状態（「オフライン」、「オンライン」、「オンライン」）と、中継装置３０を使用して通信を行う場合には利用できる宛先端末の候補である端末毎に利用できる中継装置を把握することができる。
【００８８】
更に、管理システム５０の端末抽出部５４は、ログイン要求してきた要求元端末（端末１０ａａ）の通信ＩＤ「０１ａａ」を検索キーとして、宛先リスト管理ＤＢ５００４（図１１参照）を検索し、上記要求元端末（端末１０ａａ）の通信ＩＤ「０１ａａ」を宛先端末の候補として登録している他の要求元端末の通信ＩＤを抽出する（ステップＳ３１）。図１１に示されている宛先リスト管理テーブルでは、抽出される他の要求元端末の通信ＩＤは、「０１ａｂ」、「０１ｂａ」、及び「０１ｄｂ」である。
【００８９】
次に、管理システム５０の端末状態取得部５５は、上記ログイン要求して来た要求元端末（端末１０ａａ）の通信ＩＤ「０１ａａ」を検索キーとして、端末管理ＤＢ５００３（図１０参照）を検索し、ログイン要求してきた要求元端末（端末１０ａａ）の稼動状態を取得する（ステップＳ３２）。
【００９０】
そして、送受信部５１は、上記ステップＳ３１で抽出された通信ＩＤ（「０１ａｂ」、「０１ｂａ」、「０１ｄｂ」）に係るそれぞれの端末（１０ａｂ，１０ｂａ，１０ｄｂ）のうち、端末管理ＤＢ５００３（図１０参照）で稼動状態が「オンライン」となっている端末（１０ｂａ，１０ｄｂ）に、上記ステップＳ３２で取得された要求元端末（端末１０ａａ）の通信ＩＤ「０１ａａ」と稼動状態「オンライン」と中継装置を使用する場合に利用可能である中継装置の中継装置ＩＤが含まれる宛先状態情報を送信する（ステップＳ３３−１，３３−２）。なお、送受信部５１が端末（１０ｂａ，１０ｄｂ）に宛先状態情報を送信する際に、各通信ＩＤ（「０１ｂａ」、「０１ｄｂ」）に基づいて、図１０に示されている端末管理テーブルで管理されている端末のＩＰアドレスを参照する。これにより、ログイン要求した要求元端末（端末１０ａａ）を宛先として通信することができる他の宛先端末（端末１０ｄｂ，１０ｂａ）のそれぞれに、上記ログイン要求した要求元端末（端末１０ａａ）の通信ＩＤ「０１ａａ」、稼動状態「オンライン」、中継装置を使用する場合にその宛先の候補の端末と通信する際に利用できる中継装置の中継装置ＩＤを伝えることができる。
【００９１】
一方、他の端末１０でも、上記ステップＳ２１と同様に、利用者が図４に示されている電源スイッチ１０９をＯＮにすると、図６に示されている操作入力受付部１２が電源ＯＮを受け付け、上記ステップＳ２２〜Ｓ３３−１,Ｓ３３−２の処理と同様の処理を行うため、その説明を省略する。
【００９２】
続いて、図１４を用いて、中継装置３０を選択する処理を説明する。また、本実施形態においては、要求元端末（端末１０ａａ）は、宛先の候補としての端末１０のうち、上記ステップＳ３０によって受信した端末の宛先状態情報により、稼動状態がオンラインである端末（１０ｂａ，１０ｄｂ）の少なくとも一方と通話を行うことができる。そこで、以下では、要求元端末（端末１０ａａ）の利用者が、宛先端末（端末１０ｂａ）と通話を開始することを選択した場合について説明する。
【００９３】
まず、利用者が図４に示されている操作ボタン１０８を押下して端末１０ｂａを選択すると、図６に示されている操作入力受付部１２は、宛先端末（端末１０ｂａ）との通話を開始する要求を受け付ける（ステップＳ４１）。そして、要求元端末（端末１０ａａ）は宛先端末（端末１０ｂａ）との間で会議を開始するにあたり、ユーザによって宛先端末（端末１０ｂａ）との間で会議を開始することを選択した段階で中継装置３０の最終選択を行う。上述したように、要求元端末（端末１０ａａ）には、宛先状態情報によって、宛先端末（端末１０ｂａ）との間で会議を行う際に使用できる中継装置の中継装置ＩＤ（「１１１ａ」、「１１１ｂ」、「１１１ｄ」）が通知されているので、通知された中継装置ＩＤから使用する中継装置の最終的な選択を行う（ステップＳ４２）。図６に示されている最終選択部１６は、通知された中継装置ＩＤから使用する中継装置をランダムに選択するようにしてもよいし、要求元端末（端末１０ａａ）に最も近い中継装置を選択するようにしてもよい。最も近い中継装置を選択する際には、最終選択部１６は、送受信部１１から宛先状態情報によって通知された中継装置の全てに何らかの応答要求、例えば認可要求を送信し、最も早く回答を送信した中継装置を選択する。最終選択部１６によって中継装置の選択が行われた後、ログイン要求部１３は、選択した中継装置を介して会議を行うために、該中継装置に認可要求情報を送信する（ステップＳ４３）。
【００９４】
次に、中継装置３０の端末認可部３６は、送受信部３１を介して受信した認可要求情報に含まれている通信ＩＤ及びパスワードを検索キーとして、記憶部５０００の端末認証管理ＤＢ５００２（図９参照）を検索し、端末認証管理ＤＢ５００２に同一の通信ＩＤ及びパスワードが管理されているかを判断することによって端末認証を行う（ステップＳ４４）。
【００９５】
この端末認可部３６によって、同一の通信ＩＤ及びパスワードが管理されているため、正当な利用権限を有する端末１０からの認可要求であると判断された場合には、端末認可部３６は、送受信部３１から、伝送端末１０に認可されたことを表す認可完了情報を送信する（ステップＳ４５）。
【００９６】
また、ステップＳ４４に関して、例えば、端末認可部３６は、管理システム５０に認可要求情報を送信し、端末認証を依頼するようにしてもよい。この場合、管理システム５０の端末認証部５２は、認可要求情報に含まれている通信ＩＤ及びパスワードを検索キーとして、記憶部５０００の端末認証管理ＤＢ５００２（図９参照）を検索し、端末認証管理ＤＢ５００２に同一の通信ＩＤ及びパスワードが管理されているかを判断することによって端末認証を行う。また、要求元端末（端末１０ａａ）のログイン要求部１３は、選択した中継装置を介して会議を行うために該中継装置に認可要求情報を送信する際に、伝送管理システム５０によって発行されたアクセストークンを取得し、該アクセストークンを含む認可要求を送信するようにしてもよい。この場合、端末認可部３６は認可要求に含まれるアクセストークンの検証結果に応じて認可処理を行う。
【００９７】
ここで、図６及び図１５を用いて、ステップＳ２９における処理を更に詳細に説明する。まず、図６に示されている端末抽出部５４は、要求元端末（端末１０ａａ）から送られてきたログイン要求情報に含まれている要求元端末（端末１０ａａ）の通信ＩＤ「０１ａａ」、及び通信方式を取得する（ステップＳ２９−１）。
【００９８】
次に、端末抽出部５４は、ログイン要求した要求元端末の通信ＩＤをキーとして、宛先リスト管理ＤＢ５００４（図１１参照）を検索し、要求元端末と通話することができる宛先端末の候補の通信ＩＤを読み出すことで、通信ＩＤを抽出する（ステップＳ２９−２）。
【００９９】
以下に示されるステップＳ２９−４からステップＳ２９−５の処理は、宛先リスト管理ＤＢ５００４に含まれる宛先端末のそれぞれについて実行される（ステップＳ２９−３）。
【０１００】
一次選択部５６は、要求元端末（端末１０ａａ）、及び宛先端末の候補の両方が対応している通信方式に対応している中継装置３０を選択する（ステップＳ２９−４）。
【０１０１】
一次選択部５６は、中継装置管理ＤＢ５００１（図８参照）を検索し、ステップＳ２９−４で選択した中継装置で、且つ稼動状態が「オンライン」である中継装置の候補の中継装置ＩＤを読み出すことによって選択する（ステップＳ２９−５）。
【０１０２】
次に、図１６を用いて、要求元端末（端末１０ａａ）によって中継装置３０を使用して通信を行うことが選択され、且つ使用する中継装置が選択された後の処理を説明する。
【０１０３】
要求元端末（端末１０ａａ）の会議設定部１７２は、選択した中継装置に会議室の作成を依頼する（ステップＳ５１）。
【０１０４】
次に、中継装置の参加許否処理部３７は、要求元端末（端末１０ａａ）によって依頼された会議室の作成に応じて、会議室を作成し、該会議室で開催される会議を識別する会議ＩＤ、及びＰＩＮなどのパスワードを紐付けて参加許否判断ＤＢ３００１に格納する。参加許否処理部３７は、送受信部３１から、会議室ＩＤとともに、会議ＩＤ，及びパスワードを要求元端末（１０ａａ）に送信する（ステップＳ５２）。要求元端末（端末１０ａａ）の送受信部１１によって中継装置３０から送信される会議室ＩＤと、会議ＩＤ，及びパスワードが受信されると、表示制御部１７は、宛先リストを作成し、ディスプレイ１２０に表示させる。ここで、要求元端末（１０ａａ）のディスプレイ１２０には、例えば図１７に示されるような宛先リストが表示される。図１７は、宛先リスト表示画面の一例のイメージ図である。図１７に示される宛先リスト表示画面３０００は、宛先リスト３１００と、自端末の通信ＩＤ３２００と、自端末が撮像した映像表示３３００とが含まれる。宛先リスト３１００は、要求元端末（端末１０ａａ）の宛先端末の候補としての伝送端末の一覧が表示されている。これらの宛先端末の候補の一覧には、宛先端末の候補の通信ＩＤと、名称と、稼働状態と、利用可能な通信方式を示す情報が表示されている。
【０１０５】
次に、要求元端末（端末１０ａａ）の会議開始要求部１７４は、伝送管理システム５０に会議開始要求を送信する（ステップＳ５３）。会議開始要求には、要求元（端末１０ａａの通信ＩＤ），宛先（端末１０ｄｂの通信ＩＤ），会議室ＩＤ，会議ＩＤ，及びパスワードが含まれる。
【０１０６】
次に、伝送管理システム５０の送受信部５１は、宛先端末（端末１０ｄｂ）に会議開始要求を送信する（ステップＳ５４）。
【０１０７】
次に、宛先端末（端末１０ｄｂ）の送受信部１１は、伝送管理システム５０によって送信された会議開始要求を受信する。宛先端末の表示制御部１７は、送受信部１１によって会議開始要求が受信されると、着信ダイアログを表示し、会議開始要求を受け付ける（ステップＳ５５）。
【０１０８】
次に、宛先端末（端末１０ｄｂ）の送受信部１１は、着信確認を送信する（ステップＳ５６）。
【０１０９】
次に、伝送管理システム５０の送受信部５１は、宛先端末によって送信された着信確認を受信すると、該着信確認を要求元端末に送信する（ステップＳ５７）。ここで、要求元端末では宛先端末を呼び出し中であることを通知するようにしてもよい。
【０１１０】
次に、宛先端末（端末１０ｄｂ）の会議設定部１７２は、着信ダイアログに対して会議開始が許容される場合、送受信部１１から会議開始を許容することを表す会議開始ＯＫであることを表す情報を伝送管理システム５０に送信する（ステップＳ５８）。
【０１１１】
次に、伝送管理システム５０の送受信部５１は、宛先端末によって送信された会議開始ＯＫであることを表す情報を受信すると、該会議開始ＯＫであることを表す情報を要求元端末に送信する（ステップＳ５９）。
【０１１２】
次に、宛先端末（端末１０ｄｂ）のログイン要求部１３は、送受信部１１から中継装置３０に会議に参加するためのログイン要求を送信する（ステップＳ６０）。
【０１１３】
次に、中継装置３０の参加許否処理部３７は、ログイン要求に含まれている会議ＩＤ及びパスワードを検索キーとして、記憶部３０００の参加許否管理ＤＢ３００１を検索し、参加許否管理ＤＢ３００１に同一の会議ＩＤ及びパスワードが管理されているかを判断することによって参加を許可するか否かの判断を行う。ここでは、参加要求情報に含まれている会議ＩＤ及びパスワードと同一の会議ＩＤ及びパスワードが参加許否管理ＤＢ３００１で管理されている。
【０１１４】
次に、中継装置３０の参加許否処理部３７は、送受信部３１から参加を許可することを表すログインＯＫであることを表す情報を宛先端末に送信する（ステップＳ６２）。
【０１１５】
次に、要求元端末（端末１０ａａ）と中継装置３０との間でセッションが確立される（ステップＳ６４）。これによって、要求元端末（端末１０ａａ）は会議に参加できる。
【０１１６】
次に、宛先端末（端末１０ｄｂ）と中継装置３０との間でセッションが確立される（ステップＳ６６）。これによって、宛先端末（端末１０ｄｂ）は会議に参加できる。
【０１１７】
次に、図１８を用いて、中継装置３０を使用しないで通信を行うことが選択された後の処理を説明する。
【０１１８】
要求元端末（端末１０ａａ）の会議開始要求部１７４は、伝送管理システム５０に会議開始要求を送信する（ステップＳ７１）。会議開始要求には、要求元（端末１０ａａの通信ＩＤ），宛先（端末１０ｄｂの通信ＩＤ），方式３を示す情報が含まれる。
【０１１９】
次に、伝送管理システム５０の送受信部５１は、宛先端末（端末１０ｄｂ）に会議開始要求を送信する（ステップＳ７２）。
【０１２０】
次に、宛先端末（端末１０ｄｂ）の送受信部１１は、伝送管理システム５０によって送信された会議開始要求を受信する。宛先端末の表示制御部１７は、送受信部５１によって会議開始要求が受信されると、着信ダイアログを表示し、会議開始要求を受け付ける（ステップＳ７３）。
【０１２１】
次に、宛先端末（端末１０ｄｂ）の送受信部１１は、着信確認を送信する（ステップＳ７４）。
【０１２２】
次に、伝送管理システム５０の送受信部５１は、宛先端末によって送信された着信確認を受信すると、該着信確認を要求元端末に送信する（ステップＳ７５）。ここで、要求元端末では宛先端末を呼び出し中であることを通知するようにしてもよい。
【０１２３】
次に、宛先端末（端末１０ｄｂ）の会議設定部１７２は、着信ダイアログに対して会議開始が許容される場合、送受信部１１から会議開始を許容することを表す会議開始ＯＫを表す情報を伝送管理システム５０に送信する（ステップＳ７６）。会議開始ＯＫを表す情報には、接続先情報が付帯される。
【０１２４】
次に、伝送管理システム５０の送受信部５１は、宛先端末によって送信された会議開始ＯＫを表す情報を受信すると、該会議開始ＯＫを表す情報を要求元端末に送信する（ステップＳ７７）。
【０１２５】
次に、要求元端末（端末１０ａａ）と宛先端末（端末１０ｄｂ）との間でセッションが確立される（ステップＳ７８）。これによって、要求元端末（端末１０ａａ）は宛先端末（端末１０ｄｂ）との間で直接通信を行うことができる。
【０１２６】
＜＜本実施形態の主な効果＞＞
本実施形態によれば、伝送管理装置などの呼制御装置が行っていた中継装置への接続に関する制御や、会議室の管理などの処理を端末側で行い、呼制御装置側では会議に参加する際に必要な情報を共有する。これによって、認証方式等の中継装置特有の情報は中継装置と端末との間で呼制御装置を介さずに処理されるため、中継装置の置き換えや追加が容易にできる。
【０１２７】
〔実施形態の補足〕
上記実施形態における中継装置３０、管理システム５０、プログラム提供システム９０、及びメンテナンスシステム１００は、単一のコンピュータによって構築されてもよいし、各部（機能又は手段）を分割して任意に割り当てられた複数のコンピュータによって構築されていてもよい。また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。更に、プログラム提供システム９０が複数のコンピュータによって構築されている場合には、複数のモジュールが分けられた状態で、各コンピュータから送信されるようにしてもよい。
【０１２８】
さらに、上記実施形態では、伝送端末の一例として、テレビ会議端末の場合について説明したが、これに限るものではなく、ＩＰ(Internet Protocol)電話や、インターネット電話等の電話システムであってもよい。また、スマートフォン、携帯電話機、カーナビゲーション端末、ウェアラブルコンピュータ、監視カメラ、電子黒板、ゲーム機、又は、通信機能を備えた産業用機器であってもよい。ウェアラブルコンピュータには、腕時計やヘッドマウントディスプレイ等が含まれる。また、産業用機器には、ＭＦＰ(Multifunction Peripheral/Printer/Product)等のオフィス機器、内視鏡等の医療用機器、耕運機等の農業用機器などが含まれる。
【０１２９】
また、上記各実施形態の端末用プログラム、中継装置用プログラム、又は伝送管理用プログラムが記憶されたＣＤ−ＲＯＭ等の記録媒体、並びに、これらプログラムが記憶されたＨＤ２０４、及びこのＨＤ２０４を備えたプログラム提供システム９０は、いずれもプログラム製品(Program Product)として、国内又は国外へ、上記端末用プログラム、中継装置用プログラム、及び伝送管理用プログラムが利用者等に提供される場合に用いられる。
【０１３０】
更に、上記実施形態では、中継装置のＩＰアドレス、端末のＩＰアドレスを管理することとしたが、これに限るものではなく、通信ネットワーク２上で中継装置３０を特定するための中継装置特定情報、又は通信ネットワーク２上で端末１０を特定するための端末特定情報であれば、それぞれのＦＱＤＮ(Fully Qualified Domain Name)を管理してもよい。この場合、周知のＤＮＳ(Domain Name System)サーバによって、ＦＱＤＮに対応するＩＰアドレスが取得されることになる。なお、「通信ネットワーク２で中継装置３０を特定するための中継装置特定情報」だけでなく、「通信ネットワーク２上における中継装置３０への接続先を示した中継装置接続先情報」、又は「通信ネットワーク２上における中継装置３０への宛先を示した中継装置宛先情報」と表現してもよい。同じく、「通信ネットワーク２で端末１０を特定するための端末特定情報」だけでなく、「通信ネットワーク２上における端末１０への接続先を示した端末接続先情報」、又は「通信ネットワーク２上における端末１０への宛先を示した端末宛先情報」と表現してもよい。
【０１３１】
また、上記実施形態では、伝送システム１の一例として、テレビ会議システムの場合について説明したが、これに限るものではなく、ＩＰ(Internet Protocol)電話や、インターネット電話等の電話システムであってもよい。また、伝送システム１は、カーナビゲーションシステムであってもよい。この場合、例えば、端末１０の一方が自動車に搭載されたカーナビゲーション装置に相当し、端末１０の他方が、カーナビゲーションを管理する管理センターの管理端末若しくは管理サーバ、又は他の自動車に搭載されているカーナビゲーション装置に相当する。また、伝送システム１は、携帯電話機の通信システムであってもよい。この場合、例えば、端末１０は携帯電話機に相当する。
【０１３２】
また、上記実施形態では、コンテンツデータの一例として、画像データ及び音声データについて説明したが、これに限るものではなく、触覚(touch)データであってもよい。この場合、一方の端末側でユーザが接触した感覚が、他方の端末側に伝達される。更に、コンテンツデータは、嗅覚（smell）データであってもよい。この場合、一方の端末側の匂い（臭い）が、他の端末側に伝達される。また、コンテンツデータは、画像データ、音声データ、触覚データ、及び嗅覚データのうち、少なくとも１つのデータであればよい。
【０１３３】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【０１３４】
上述した実施例において、伝送端末は情報処理装置の一例であり、テレビ会議、テレビ電話はサービスの一例である。また、会議設定部はサービス設定依頼部の一例であり、会議開始要求部はサービス開始要求部の一例であり、最終選択部は選択部の一例である。また、端末認可部は認可部の一例であり、送受信部は送信部の一例であり、伝送管理システムは呼制御装置の一例であり、端末用プログラムは情報処理プログラムの一例である。
【０１３５】
本発明は特定の実施例、変形例を参照しながら説明されてきたが、各実施例、変形例は単なる例示に過ぎず、当業者は様々な変形例、修正例、代替例、置換例などを理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例などが包含される。
【符号の説明】
【０１３６】
１  伝送システム
１０  伝送端末
１１  送受信部
１６  最終選択部
１７  表示制御部
３０  中継装置
３１  送受信部
３２  状態検知部
３６  端末認可部
３７  参加許否処理部
５０  伝送管理システム
５１  送受信部
５２  端末認証部
５３  状態管理部
５４  端末抽出部
５５  端末状態取得部
５６  一次選択部
７０  ルータ
９０  プログラム提供システム
１００  メンテナンスシステム
１０００  記憶部
３０００  記憶部
３００１  参加許否判断ＤＢ
５０００  記憶部
５００１  中継装置管理ＤＢ
５００２  端末認証管理ＤＢ
５００３  端末管理ＤＢ
５００４  宛先リスト管理ＤＢ
【先行技術文献】
【特許文献】
【０１３７】
【特許文献１】特開２０１２−０７５０７３号公報
【図１】
2016167658.tif 000003
【図２】
2016167658.tif 000004
【図３】
2016167658.tif 000005
【図４】
2016167658.tif 000006
【図５】
2016167658.tif 000007
【図６】
2016167658.tif 000008
【図７】
2016167658.tif 000009
【図８】
2016167658.tif 000010
【図９】
2016167658.tif 000011
【図１０】
2016167658.tif 000012
【図１１】
2016167658.tif 000013
【図１２】
2016167658.tif 000014
【図１３】
2016167658.tif 000015
【図１４】
2016167658.tif 000016
【図１５】
2016167658.tif 000017
【図１６】
2016167658.tif 000018
【図１７】
2016167658.tif 000019
【図１８】
2016167658.tif 000020